【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
光信号と電気信号の両方を伝送する光電フレキシブル配線板を、コネクタを用いて基板に接続する光電フレキシブル配線板の接続構造であって、
前記コネクタは、前記光電フレキシブル配線板の端部が挿入可能な断面凹状のガイド穴と、
前記ガイド穴の天井面に幅方向に配列された複数のコンタクトと、
前記ガイド穴の天井面に設けられた光素子とを備えており、
前記基板には前記コネクタ及び光電変換可能な前記光素子のドライバーが実装されており、
前記光電フレキシブル配線板は、その表面上における前記コンタクトに各々接触可能な位置に幅方向に配設されており且つ全長が光電フレキシブル配線板の全長と略同じである複数の電気伝送路と、
内部に設けられており且つ全長が光電フレキシブル配線板の全長と略同じである光伝送路と、
前記端部表面における前記光素子に対向可能な位置に設けられた光信号入出口と、
前記光伝送路の端部内における前記光信号入出口に対向した位置に配設されており且つ当該光導波路を直角に曲げるための導波路ミラーとを備えていることを特徴とする光電フレキシブル配線板の接続構造。
【請求項２】
請求項１記載の光電フレキシブル配線板の接続構造において、
前記光素子が前記コンタクトの配列方向の最も外側に配置されており、
前記光伝送路が前記電気伝送路の配列方向の最も外側に配置されていることを特徴とする光電フレキシブル配線板の接続構造。
【請求項３】
請求項１記載の光電フレキシブル配線板の接続構造において、
前記コネクタは、ガイド穴の長さ方向の両端部に各々設けられた一対の凸部を更に備えており、
前記光電フレキシブル配線板は、前記端部の両端部に各々設けられており且つ前記凸部に嵌合可能な凹状の一対の固定部を更に備えていることを特徴とする光電フレキシブル配線板の接続構造。
【請求項４】
請求項１記載の光電フレキシブル配線板の接続構造において、
前記コネクタは、前記光電フレキシブル配線板の端部が前記ガイド穴に挿入された状態で固定するスライダを更に備えていることを特徴とする光電フレキシブル配線板の接続構造。
【請求項５】
請求項１記載の光電フレキシブル配線板の接続構造において、
本体と、表示部を兼ねる蓋体と、前記本体と前記蓋体とを回動自在に連結するヒンジ軸とを備えた情報処理端末装置に適用されるものであり、
前記本体は、前記基板である本体側の実装基板と、前記コネクタである本体側のコネクタとを備え、
前記蓋体は、前記基板である蓋体側の実装基板と、前記コネクタである蓋体側のコネクタとを備え、
前記光電フレキシブル配線板は、前記本体側のコネクタのガイド穴に挿入可能な一方の端部と、前記蓋体側のコネクタのガイド穴に挿入可能な他方の端部とを備えていることを特徴とする光電フレキシブル配線板の接続構造。
【請求項６】
請求項１記載の光電フレキシブル配線板の接続構造に用いられるコネクタにおいて、
前記光電フレキシブル配線板の端部が挿入可能な断面凹状のガイド穴が設けられたボディと、
前記ボディのガイド穴の天井面に前記光電フレキシブル配線板の表面上の前記電気伝送路に各々対応して幅方向に配列された複数のコンタクトと、
前記ボディのガイド穴の天井面における前記光電フレキシブル配線板の表面上の光信号入出口に対向可能な位置に配設された前記光素子とを備えており、
前記コンタクトは、前記ボディに埋設された中間部と、前記ガイド穴の天井面から露出する一端部と、前記ボディの背面から突出し前記基板に接続される他端部とを有していることを特徴とするコネクタ。
【請求項７】
請求項６記載のコネクタにおいて、
前記光素子が前記コンタクトの配列方向の最も外側に配置されていることを特徴とするコネクタ。
【請求項８】
請求項１記載の光電フレキシブル配線板の接続構造に用いられる光電フレキシブル配線板において、
端部が前記コネクタのガイド穴に挿入可能な板状ベースと、
前記板状ベースの表面上における前記コンタクトに各々接触可能な位置に幅方向に配設されており且つ全長が光電フレキシブル配線板の全長と略同じである複数の電気伝送路と、
前記板状ベースの内部に設けられており且つ全長が光電フレキシブル配線板の全長と略同じである光伝送路と、
前記板状ベースの端部表面における前記光素子に対向可能な位置に設けられた光信号入出口と、
前記光伝送路の端部内における前記光信号入出口に対向した位置に配設されており且つ当該光導波路を直角に曲げるための導波路ミラーとを備えることを特徴とする光電フレキシブル配線板。
【請求項９】
請求項８記載の光電フレキシブル配線板において、
前記光伝送路が前記電気伝送路の配列方向の最も外側に配置されていることを特徴とする光電フレキシブル配線板。
【請求項１０】
請求項９に記載の光電フレキシブル配線板において、
前記板状ベースの両端部には、一対のコネクタのガイド穴の両端部に各々設けられた一対の凸部が各々嵌合して当該板状ベースの抜け止めをする一対の固定部が設けられていることを特徴とする光電フレキシブル配線板。
【手続補正２】
【補正対象書類名】明細書
【補正対象項目名】００１４
【補正方法】変更
【補正の内容】
【００１４】
上記目的を達成するために、本発明に係る光電フレキシブル配線板の接続構造は、光信号と電気信号の両方を伝送する光電フレキシブル配線板を、コネクタを用いて基板に接続する光電フレキシブル配線板の接続構造であって、前記コネクタは、前記光電フレキシブル配線板の端部が挿入可能な断面凹状のガイド穴と、前記ガイド穴の天井面に幅方向に配列された複数のコンタクトと、前記ガイド穴の天井面に設けられた光素子とを備えており、前記基板には前記コネクタ及び光電変換可能な前記光素子のドライバーが実装されており、前記光電フレキシブル配線板は、その表面上における前記コンタクトに各々接触可能な位置に幅方向に配設されており且つ全長が光電フレキシブル配線板の全長と略同じである複数の電気伝送路と、内部に設けられており且つ全長が光電フレキシブル配線板の全長と略同じである光伝送路と、前記端部表面における前記光素子に対向可能な位置に設けられた光信号入出口と、前記光伝送路の端部内における前記光信号入出口に対向した位置に配設されており且つ当該光導波路を直角に曲げるための導波路ミラーとを備えていることを特徴とする。
【手続補正３】
【補正対象書類名】明細書
【補正対象項目名】００１８
【補正方法】変更
【補正の内容】
【００１８】
また、本発明に係るコネクタは、前記光電フレキシブル配線板の端部が挿入可能な断面凹状のガイド穴が設けられたボディと、前記ボディのガイド穴の天井面に前記光電フレキシブル配線板の表面上の前記電気伝送路に各々対応して幅方向に配列された複数のコンタクトと、前記ボディのガイド穴の天井面における前記光電フレキシブル配線板の表面上の光信号入出口に対向可能な位置に配設された前記光素子とを備えており、前記コンタクトは、前記ボディに埋設された中間部と、前記ガイド穴の天井面から露出する一端部と、前記ボディの背面から突出し前記基板に接続される他端部とを有していることを特徴とする。
【手続補正４】
【補正対象書類名】明細書
【補正対象項目名】００２２
【補正方法】変更
【補正の内容】
【００２２】
また、本発明に係る光電フレキシブル配線板は、端部が前記コネクタのガイド穴に挿入可能な板状ベースと、前記板状ベースの表面上における前記コンタクトに各々接触可能な位置に幅方向に配設されており且つ全長が光電フレキシブル配線板の全長と略同じである複数の電気伝送路と、前記板状ベースの内部に設けられており且つ全長が光電フレキシブル配線板の全長と略同じである光伝送路と、前記板状ベースの端部表面における前記光素子に対向可能な位置に設けられた光信号入出口と、前記光伝送路の端部内における前記光信号入出口に対向した位置に配設されており且つ当該光導波路を直角に曲げるための導波路ミラーとを備えることを特徴とする。
【手続補正５】
【補正対象書類名】明細書
【補正対象項目名】００２３
【補正方法】変更
【補正の内容】
【００２３】
本発明に係る光電フレキシブル配線板においては、光信号の伝送路を当該配線板の一端部から他端部まで延在している。このため、光電フレキシブル配線板の全長と光伝送路長がほぼ同じになる。また、高速デジタル信号がその光号伝送路により、前記配線板の一端部から他端部まで伝送される。このため、当該配線板上で高速デジタル信号が電気伝送路を通過する事態が回避される。
【手続補正６】
【補正対象書類名】明細書
【補正対象項目名】００２４
【補正方法】変更
【補正の内容】
【００２４】
前記板状ベースの端部は、具体的にはコネクタに挿入される部分である。このコネクタに光素子及びドライバーが搭載されることにより、上記配線板構造が可能になることは前述したとおりである。
【手続補正７】
【補正対象書類名】明細書
【補正対象項目名】００２５
【補正方法】変更
【補正の内容】
【００２５】
前記板状ベースの両端部には、一対のコネクタのガイド穴の両端部に各々設けられた一対の凸部が各々嵌合して当該板状ベースの抜け止めをする一対の固定部を設けることができる。この固定部により、光電フレキシブル配線板のコネクタからの不用意な脱離が防止される。
【手続補正８】
【補正対象書類名】明細書
【補正対象項目名】００２６
【補正方法】削除
【補正の内容】